【手続補正書】
【提出日】平成19年11月27日(2007.11.27)
【手続補正１】
【補正対象書類名】明細書
【補正対象項目名】全文
【補正方法】変更
【補正の内容】
【書類名】  明細書
【発明の名称】あぶらとり紙又は清掃紙
【特許請求の範囲】
【請求項１】
植物の繊維質又は動物の体毛又はシルク又は化学繊維に高分子吸収体を混合した液体吸収性紙を用いたことを特徴とするあぶらとり紙又は清掃紙。
【請求項２】
前記液体吸収性紙の裏面を防水加工したことを特徴とする請求項１に記載のあぶらとり紙又は清掃紙。
【請求項３】
前記液体吸収性紙の裏面に防水性の紙状の部材を積合させたことを特徴とする請求項１に記載のあぶらとり紙又は清掃紙。
【請求項４】
前記液体吸収性紙を複数枚積合させてパック状にしたことを特徴とする請求項１〜３のいずれか一項に記載のあぶらとり紙又は清掃紙。
【請求項５】
前記液体吸収性紙を捲回させてロール状にしたことを特徴とする請求項１〜３のいずれか一項に記載のあぶらとり紙又は清掃紙。
【発明の詳細な説明】
【０００１】
【発明の属する技術分野】
本発明は、あぶらとり紙又は清掃紙で、複数枚重ねたまま、またはロール状のままでも水分、汗、液体状の汚れ等、またはこれらを含んだ埃、ゴミ等を別紙に浸透することなく吸収できる。また、あぶらとり紙の吸収性を増すことに関するものである。
【０００２】
【従来の技術】
従来、和紙、麻、シルク等を使用し、または混合し圧縮して作成したあぶらとり紙がある。いずれも、汗やあぶら分の吸収性を向上させるように努力している。ロール状のあぶらとり紙は、切断してから使用しなければならず、紙自身が薄く指先で扱いにくい。あぶらとり紙は、汗等があぶらとり紙を通して手にもついてしまう。あぶらとり紙を重ねて使用すると、複数枚に渡り汗等が浸透してしまうことがある。
【０００３】
また、一般の清掃紙においては、粘着性のロール紙があるが、吸水性がない。吸水性の清掃紙は、清掃紙を通して持つ手にも汚れがついてしまう。吸水性の清掃紙を重ねて使用すると、複数枚まで汚れが浸透してしまうことが多い。
【０００４】
【発明が解決しようとする課題】
和紙、麻、シルク等を使用し、または混合、圧縮して作成したあぶらとり紙がある。あぶらとり紙の吸水性の向上が望まれている。汚れを吸いとるロール状のあぶらとり紙や清掃紙は、切断してから使用しなければならず、紙自身が薄く指先で扱いにくい。これをロール状態で使用してから切断するようにするためにはロール紙の内側に汚れが浸透しないようにする必要がある。また、あぶらとり紙、清掃紙を１枚で使用しても、複数枚重ねて使用しても、手や別の紙に浸透しないようにする必要がある。
【０００５】
【課題を解決するための手段】
前記課題を解決するために、本発明のあぶらとり紙又は清掃紙は、植物の繊維質又は動物の体毛又は化学繊維に高分子吸収体を混合した液体吸収性紙を用いたものであり、更に、液体吸収性紙の裏面を防水加工したものであり、更には、液体吸収性紙の裏面に防水性の紙状の部材を積合させたものであり、加えて、液体吸収性紙を複数枚積合させてパック状にしたものであり、更には、液体吸収性紙を捲回させてロール状にしたものである。
【０００６】
【発明の実施の形態】
以下、本発明の実施の形態を図面を参照して説明すると、図１は本発明のあぶらとり紙又は清掃紙の片面を防水加工した斜視図であり、図２は本発明のあぶらとり紙又は清掃紙に防水紙を重ね合わせた状態の斜視図であり、図３は本発明のあぶらとり紙又は清掃紙を複数枚重ねてパック状にした斜視図であり、図４は本発明のあぶらとり紙又は清掃紙にタブ、タグをつけた斜視図であり、図５は本発明のあぶらとり紙又は清掃紙をロール状とした斜視図であり、図６は本発明のあぶらとり紙又は清掃紙に防水紙を重ね合わせロール状にした状態の斜視図であり、図７は本発明のあぶらとり紙又は清掃紙を複数枚重ねたものをフォルダーにセットした状態の断面説明図である。
【０００７】
本発明は、あぶらとり紙又は清掃紙で、複数枚重ねたまま、またはロール状のままでも水分、汗、液体状の汚れ等、またはこれらを含んだ埃、ゴミ等を別紙に浸透することなく吸収できる。また、あぶらとり紙の吸収性を増すことに関するものであり、請求項１に記載のあぶらとり紙又は清掃紙は、植物の繊維質又は動物の体毛又はシルク又は化学繊維に高分子吸収体を混合した液体吸収性紙を用いたことを特徴とするものである。
【０００８】
更に、請求項２に記載のあぶらとり紙又は清掃紙は、請求項１に記載のあぶらとり紙又は清掃紙において、前記液体吸収性紙の裏面を防水加工したことを特徴とするものである。
【０００９】
更には、請求項３に記載のあぶらとり紙又は清掃紙は、請求項１に記載のあぶらとり紙又は清掃紙において、前記液体吸収性紙の裏面に防水性の紙状の部材を積合させたことを特徴とするものである。
【００１０】
加えて、請求項４に記載のあぶらとり紙又は清掃紙は、請求項１〜３のいずれか一項に記載のあぶらとり紙又は清掃紙において、前記液体吸収性紙を複数枚積合させてパック状にしたものである。
【００１１】
更には、請求項５に記載のあぶらとり紙又は清掃紙は、請求項１〜３のいずれか一項に記載のあぶらとり紙又は清掃紙において、前記液体吸収性紙を捲回させてロール状にしたものである。
【００１２】
即ち、本発明のあぶらとり紙又は清掃紙１の作成法として、パルプ、和紙、麻、化学繊維、シルク、羊毛、海草等の吸収繊維材に天草やこんにゃく、ゼラチン等の動植物や化学性の高分子吸収体を塗布、乾燥後圧縮する。または、圧縮後塗布、乾燥、または圧縮後塗布、乾燥、圧縮のように乾燥と圧縮を組み合わせて作成する。また、吸収繊維材に高分子吸収体を混合圧縮する。または、吸収繊維材に高分子吸収体を混合する。
【００１３】
図１に図示するものは、吸水性を持つあぶらとり紙又は清掃紙１の片面に、撥水加工や撥水剤をコーティング、または防水紙を貼り付けて防水面を形成して片面を防水加工したものである。
【００１４】
次に、図２に図示するものは、防水性の紙状の部材としてセロハン紙や、アルミ箔等の金属箔、ポリプロピレン等のプラスチック材や油紙等の防水紙２と吸水性をもつあぶらとり紙又は清掃紙１として、和紙、麻等の繊維や綿、脱脂羊毛、シルク、化学繊維等やこれらを混合、組み合わせた紙状のもので、圧縮等を行い吸水性を増したもの、または、高分子吸収体等を混合したものを重ね合わせたものである。
【００１５】
次いで、図３（ａ）で図示するものは、図１で図示した、片面に撥水加工や撥水剤をコーティング、または防水紙を貼り付けて片面を防水加工した防水面を備えたあぶらとり紙又は清掃紙１を複数枚重ねてパック状したものである。
【００１６】
更に、図３（ｂ）に図示したものは、図２で図示した、防水性の紙状の部材としてセロハン紙や、アルミ箔等の金属箔、ポリプロピレン等のプラスチック材や油紙等の防水紙２と吸水性をもつあぶらとり紙又は清掃紙１として、和紙、麻等の繊維や綿、脱脂羊毛、シルク、化学繊維等やこれらを混合、組み合わせた紙状のもので、圧縮等を行い吸水性を増したもの、または高分子吸収体等を混合したものを複数枚重ね合わせたものである。
【００１７】
更には、図４に図示したものは、あぶらとり紙又は清掃紙１にタブ、タグ３をつけたもので、複数枚重ねたあぶらとり紙又は清掃紙１を取り易くするものであり、図４（ａ）に図示したものは、図１に図示した片面を防水加工したあぶらとり紙又は清掃紙１に１枚おき、または互い違いにタブ、タグ３をつけたものであり、図４（ｂ）に図示したものは、図２に図示した防水紙２と吸収性のあぶらとり紙又は清掃紙１を重ね合わせて、防水紙２にタブ、タグ３をつけたものである。
【００１８】
また、図５に図示したものは、吸水性のあぶらとり紙又は清掃紙１の片面に、撥水加工や撥水剤をコーティング、または、防水紙２を貼り付けて片面を防水加工し防水面を備えたあぶらとり紙又は清掃紙１を長尺にして長手方向を捲回させてロール状としたものである。
【００１９】
更に、図６に図示したものは、防水性の紙状の部材としてセロハン紙や、アルミ箔等の金属箔、ポリプロピレン等のプラスチック材や油紙等の防水紙２と吸水性をもつあぶらとり紙又は清掃紙１として、和紙、麻等の繊維や綿、脱脂羊毛、シルク、化学繊維等やこれらを混合、組み合わせた紙状のもので、圧縮等を行い吸水性を増したもの、または高分子吸収体等を混合したものを重ね合わせ長尺にして長手方向に捲回させたロール状としたものである。
【００２０】
更には、図７（ａ）に図示したものは、図１で図示した、片面に撥水加工や撥水剤をコーティング、または防水紙２を貼り付けて防水面を形成した、片面を防水加工したものを複数枚積合させてフォルダーにセットしたものである。
【００２１】
また、図７（ｂ）に図示したものは、図２で図示した、防水性の紙状の部材としてセロハン紙や、アルミ箔等の金属箔、ポリプロピレン等のプラスチック材や油紙等の防水紙２と吸水性をもつあぶらとり紙又は清掃紙１として、和紙、麻等の繊維や綿、脱脂羊毛、シルク、化学繊維等やこれらを混合、組み合わせた紙状のもので、圧縮等を行い吸水性を増したもの、または高分子吸収体等を混合したものを複数枚重ね合わせパック状したものをフォルダーにセットしたものである。
【００２２】
つまり、フォルダーは１枚づつ取り易く、ポップアップ用のコイルスプリング７を備え、このあぶらとり紙又は清掃紙１は、湾曲させたポップアップ台６の上方と対峙して立設したペーパーガイド５の側面とのスペースに収納されているものである。
【００２３】
そして、摘み８を持ち、上方に僅かに膨出させた清掃部４で汗、汚れを取るもので、その後に使用済みのあぶらとり紙又は清掃紙１を剥がすものであり、そうすると次の新しいあぶらとり紙又は清掃紙１が表面に出てくるものである。
【００２４】
また、あぶらとり紙又は清掃紙１で浸透しないように、防水紙２を大きくしたり、防水紙２の横に防水枠や、防水加工を施しても良い。また、剥がす場合に剥がしやすいように剥がし台を設けても良い。
【００２５】
【発明の効果】
吸収性の高いあぶらとり紙又は清掃紙ができ、使用時にあぶらとり紙又は清掃紙を通して手に汗、汚れがつかないものであり、さらに、あぶらとり紙又は清掃紙を重ねて使用しても下方の別のあぶらとり紙又は清掃紙まで汗、汚れが浸透しないため重ねて使用後に剥がせるもので、更には、使用後にあぶらとり紙又は清掃紙の使用した部位を切る方式のロール状のあぶらとり紙又は清掃紙とできるものである。
【００２６】
【図面の簡単な説明】
【図１】
図１は本発明のあぶらとり紙又は清掃紙の片面を防水加工した斜視図である。
【図２】
図２は本発明のあぶらとり紙又は清掃紙に防水紙を重ね合わせた状態の斜視図である。
【図３】
図３は本発明のあぶらとり紙又は清掃紙を複数枚重ねてパック状にした斜視図である。
【図４】
図４は本発明のあぶらとり紙又は清掃紙にタブ、タグをつけた斜視図である。
【図５】
図５は本発明のあぶらとり紙又は清掃紙をロール状とした斜視図である。
【図６】
図６は本発明のあぶらとり紙又は清掃紙に防水紙を重ね合わせロール状にした状態の斜視図である。
【図７】
図７は本発明のあぶらとり紙又は清掃紙を複数枚重ねたものをフォルダーにセットした状態の断面説明図である。
【符号の説明】
１…あぶらとり紙又は清掃紙
２…防水紙
３…タブ、タグ
４…清掃部
５…ペーパーガイド
６…ポップアップ台
７…コイルスプリング
８…摘み